(57)【特許請求の範囲】
【請求項１】
上方開口の凹部を備え、その底面に中央固定接点および外側固定接点並びにそれらの中間の前後左右の四箇所の位置に内側固定接点を備えたケースと、外形が円形ドーム状で中央頂点部に前記中央固定接点よりも大きい範囲に設けられた貫通孔を有し、外周下端部が外側固定接点上に載置された弾性金属薄板製の可動接点と、上方に突出する操作軸の下方に一体形成されたフランジ部を備え、このフランジ部下面に設けられた前記可動接点の貫通孔よりも大きい範囲の導電部が可動接点の貫通孔の周囲部分に当接し、かつ内側固定接点上方に対応する位置を押圧可能に可動接点上に配されると共に、前記操作軸の周囲部分に上方に突出する突部が設けられた絶縁材料製の操作体と、前記操作体のフランジ部上面に設けられた突部を上方に突出させるように対応する孔部に挿通させると共に、中央に設けた軸受部で前記操作体の操作軸を挿通保持し、前記ケースの開口部を覆うようにケースに固定された金属製のカバーと、前記操作体のフランジ部上面に設けられた前記突部の前記カバーから突出した上端に下端部を当接させて装着された操作つまみとからなり、前記操作つまみを介して前記操作体が傾倒するように前記操作軸に力を加えると、前記操作つまみと一体的に結合した状態で前記操作体は、傾倒方向とは反対側の上端部が支点となり、前記フランジ部の突部が前記カバーの孔部に挿通状態のままで全体的に傾倒して前記可動接点を部分的に反転させ、これにより前記傾倒方向側に配された内側固定接点と前記外側固定接点との間のスイッチングがなされ、前記操作つまみを介して前記操作軸を押し下げると、前記操作つまみと一体的に結合した状態で前記操作体は、前記フランジ部の突部が前記カバーの孔部に挿通状態のままで全体的に下方に移動して前記可動接点を全体的に反転させ、これにより前記中央固定接点と前記外側固定接点との間のスイッチングがなされることを特徴とする多方向操作スイッチ。
【請求項２】
操作体のフランジ部上面の突部が、操作軸の中心から等距離の位置に複数個配された請求項１記載の多方向操作スイッチ。
【請求項３】
操作体のフランジ部の側方角部を、ケースの凹部に設けられた側壁角部に対応させた請求項１記載の多方向操作スイッチ。
【請求項４】
操作体のフランジ部上面の突部の配設位置が、ケースの内側固定接点の配設方向に合わせられている請求項１記載の多方向操作スイッチ。
【請求項５】
操作体のフランジ部の大きさが、ケースに配された内側固定接点どうしを繋ぐ仮想線で囲われる円形範囲よりも大きく形成されている請求項１記載の多方向操作スイッチ。
【請求項６】
操作体のフランジ部と導電部とが、導電性材料で一体形成された請求項１記載の多方向操作スイッチ。
【発明の詳細な説明】
【０００１】
【発明の属する技術分野】
本発明は、主としてオーディオ機器、ゲーム機器、カーナビゲーションシステム等の各種電子機器の入力操作部等に使用され、操作軸の傾倒操作およびプッシュ操作によって駆動する多方向操作スイッチに関するものである。
【０００２】
【従来の技術】
近年の多方向操作スイッチについて、図面を用いて説明する。図１１は従来の多方向操作スイッチの分解斜視図、図１２は図１１におけるＸ−Ｘ線による断面図、および図１３は同要部であるケースの上面図である。
【０００３】
同図において、１は絶縁樹脂製のケースであり、上方開口の凹部の内底面には、中央固定接点２Ａおよび外側固定接点２Ｂ並びにそれらの中間の前後左右の四箇所の位置に四つの内側固定接点２Ｃが設けられている。
【０００４】
そして、３は外形が円形ドーム状に形成された弾性金属薄板製の可動接点で、外周下端部が外側固定接点２Ｂ上に載置されてケース１の凹部内に収容されている。
【０００５】
この可動接点３の中央頂点部には、中央固定接点２Ａよりも大きい範囲の孔３Ａが設けられている。
【０００６】
そして、４は上方に突出する水平断面が略四角形の操作軸４Ａとその下方のフランジ部４Ｂとが一体形成された絶縁材料製の操作体で、フランジ部４Ｂ下部には導電性の鋲５が固着されている。
【０００７】
この鋲５の下方平坦部５Ａは、四つの内側固定接点２Ｃを繋ぐ円形の仮想線の大きさと同等、もしくはそれよりも少し大きい円形状に形成されており、フランジ部４Ｂ下部にこの鋲５が固着された操作体４は、鋲５の下方平坦部５Ａの端部がそれぞれの内側固定接点２Ｃの略上方に位置するように、かつ下方平坦部５Ａの裏面が可動接点３の孔３Ａの周囲部分に当接状態になるように、可動接点３上に配されて、フランジ部４Ｂがケース１の凹部内に収容されている。
【０００８】
そして、６は中央部分に略四角形に形成された軸受部６Ａを有する金属板製のカバーで、その軸受部６Ａに操作体４の操作軸４Ａを上方に突出させるようにして挿通保持すると共に、軸受部６Ａの略四角形のそれぞれの辺部が内側固定接点２Ｃを設けた方向に対応するように、ケース１に固着され、ケース１の凹部を覆っている。
【０００９】
また、このカバー６の裏面は、操作体４のフランジ部４Ｂ上面に当接しており、フランジ部４Ｂ下面に鋲５が固着されている操作体４は、カバー６裏面と可動接点３上面とにより挟持されて、図１２に示す操作軸４Ａに操作力が加わっていない通常状態においては垂直中立位置を保っている。
【００１０】
そして、図１２等に示す７は、操作体４の操作軸４Ａの上端に結合された操作つまみである。
【００１１】
次に、上述のように構成された従来の多方向操作スイッチの動作について説明する。
【００１２】
まず、操作体４が垂直中立位置にあり、可動接点３を押さない図１２の状態においては、いずれのスイッチ接点間もオフ状態になっている。
【００１３】
そして、図１４の断面図に矢印で示すように、操作体４の操作軸４Ａの上端に装着された操作つまみ７の左上面を指等で下方向に押し下げると、操作体４はフランジ部４Ｂの右側上端部４Ｂ１を支点として傾き、フランジ部４Ｂ下面に固定された鋲５の下方平坦部５Ａの左側端部５Ａ１が、左側に配された内側固定接点２Ｃの上方位置に対応する可動接点３の上面左側部分を押し下げ、可動接点３を部分的に反転させて節度を生じる。
【００１４】
それと同時に、左側の内側固定接点２Ｃと外側固定接点２Ｂとの間は可動接点３を介して導通し、これらの接点２Ｃ、２Ｂに対応する所定の端子８間が導通状態になる。
【００１５】
なお、このときに可動接点３の中央頂点部には、中央固定接点２Ａよりも大きい範囲の孔３Ａが設けられているために、中央固定接点２Ａと可動接点３が接触することはない。
【００１６】
また、操作体４も左側の内側固定接点２Ｃ側を支点として傾いてその反対側は上方に離れる方向に移動しているために、フランジ部４Ｂ下面に固着された鋲５も中央固定接点２Ａと接触しないようになっている。
【００１７】
この後、操作つまみ７に加えていた押し力を除くと、円形ドーム状の可動接点３が元の形状に復元して可動接点３が左側の内側固定接点２Ｃから離れると共に、その復元力によって操作体４は元の垂直中立位置へ押し戻され、図１２に示すいずれのスイッチ接点間もオフ状態に戻る。
【００１８】
また、操作体４に装着された操作つまみ７の上面を押す位置を右、前、後と変えると、前記と同様にして、その方向に対応した所定の端子８間が導通状態になり、その押圧力を除くと、図１２に示す通常状態に戻る。
【００１９】
次に、図１５の断面図に矢印で示すように、指等で操作つまみ７の中央上面に上方から垂直に押し力を加えて操作体４を押し下げると、操作体４に固定された鋲５は円形ドーム状の可動接点３の中央部を押し下げて可動接点３を全体的に反転させて節度を生じる。
【００２０】
それと同時に、鋲５の下方平坦部５Ａの中央下部が、ケース１底面の中央固定接点２Ａに当接し、鋲５と接触している可動接点３を介して中央固定接点２Ａと外側固定接点２Ｂとの間が導通状態となり、それらに対応する所定の端子８間が導通する。
【００２１】
この後、前記押圧力を除くと、操作体４は円形ドーム状の可動接点３の復元力によって押し上げられて、図１２に示すいずれのスイッチ接点間もオフ状態に戻るものであった。
【００２２】
【発明が解決しようとする課題】
しかしながら従来の多方向操作スイッチにおいては、操作体４は、操作軸４Ａがカバー６の軸受部６Ａに挿通保持されるのみで係合されていたため、指等で行われる所定操作時に、操作体４が少し回転したり、またはこじりながら傾倒および下方への全体的な移動をしていくことがあり、この場合には良好な操作感触が得られないという課題があった。
【００２３】
本発明は、このような従来の課題を解決するものであり、構成部品点数を増加させることなく、所定操作時における操作体の移動時のこじり等を低減させることができる多方向操作スイッチを提供することを目的とする。
【００２４】
【課題を解決するための手段】
上記目的を達成するために本発明は、凹部の内底面に中央固定接点および外側固定接点並びにそれらの中間の前後左右の四箇所の位置に内側固定接点を備えた絶縁樹脂製のケースに、中央頂点部に孔部を有する円形ドーム状の可動接点を、その外周下端部を外側固定接点上に当接させて載置し、この可動接点上にフランジ部下面に導電部を有する操作体を配し、ケース凹部を覆うようにケースに装着されるカバーの軸受部で操作体のフランジ部上面中央に突出する操作軸を挿通保持すると共に、その操作軸の周囲部分に設けたフランジ部上方に突出する突部をカバーの孔部に挿通させ、さらにその突部のカバーから突出した上端に下端部を当接させて装着された操作つまみからなるものとし、前記操作つまみを介して操作体が傾倒するように操作軸に力を加えると、前記操作つまみと一体的に結合した状態で操作体は、傾倒方向とは反対側の上端部が支点となり、フランジ部の突部が前記カバーの孔部に挿通状態のままで全体的に傾倒し、前記操作つまみを介して操作軸を押し下げると、前記操作つまみと一体的に結合した状態で操作体は、フランジ部の突部が前記カバーの孔部に挿通状態のままで全体的に下方に移動していくようにするものである。
【００２５】
これにより、操作軸への所定操作時に、フランジ部上面に設けた突部がカバーの孔部に挿通された状態のままで、操作体を傾倒または全体的に下方に移動させるようにできるため、構成部品点数を増加させることなく、操作体のこじり等を低減できて、所定操作時の良好な操作感触が得られる多方向操作スイッチを安価に提供することができる。
【００２６】
【発明の実施の形態】
本発明の請求項１に記載の発明は、上方開口の凹部を備え、その底面に中央固定接点および外側固定接点並びにそれらの中間の前後左右の四箇所の位置に内側固定接点を備えたケースと、外形が円形ドーム状で中央頂点部に前記中央固定接点よりも大きい範囲に設けられた貫通孔を有し、外周下端部が外側固定接点上に載置された弾性金属薄板製の可動接点と、上方に突出する操作軸の下方に一体形成されたフランジ部を備え、このフランジ部下面に設けられた前記可動接点の貫通孔よりも大きい範囲の導電部が可動接点の貫通孔の周囲部分に当接し、かつ内側固定接点上方に対応する位置を押圧可能に可動接点上に配されると共に、前記操作軸の周囲部分に上方に突出する突部が設けられた絶縁材料製の操作体と、前記操作体のフランジ部上面に設けられた突部を上方に突出させるように対応する孔部に挿通させると共に、中央に設けた軸受部で前記操作体の操作軸を挿通保持し、前記ケースの開口部を覆うようにケースに固定された金属製のカバーと、前記操作体のフランジ部上面に設けられた前記突部の前記カバーから突出した上端に下端部を当接させて装着された操作つまみとからなり、前記操作つまみを介して前記操作体が傾倒するように前記操作軸に力を加えると、前記操作つまみと一体的に結合した状態で前記操作体は、傾倒方向とは反対側の上端部が支点となり、前記フランジ部の突部が前記カバーの孔部に挿通状態のままで全体的に傾倒して前記可動接点を部分的に反転させ、これにより前記傾倒方向側に配された内側固定接点と前記外側固定接点との間のスイッチングがなされ、前記操作つまみを介して前記操作軸を押し下げると、前記操作体は、前記操作つまみと一体的に結合した状態で前記フランジ部の突部が前記カバーの孔部に挿通状態のままで全体的に下方に移動して前記可動接点を全体的に反転させ、これにより前記中央固定接点と前記外側固定接点との間のスイッチングがなされることを特徴とする多方向操作スイッチとしたものであり、操作軸への所定操作時に、フランジ部上面に設けた突部がカバーの孔部に挿通された状態のままで、操作体を傾倒または全体的に下方に移動させるようにできるので、構成部品点数を増加させることなく、操作体のこじり等を低減できて所定操作時の良好な操作感触が得られる多方向操作スイッチを安価に実現できるという作用を有する。さらに、操作つまみに加わる操作力を操作軸の周囲に設けられた突部にも直接伝達でき、操作つまみと操作体とを広い面積で一体的に結合した状態で移動させることができるため、操作体の所定の移動を、容易に安定化させることができるという作用も有する。
【００２７】
請求項２に記載の発明は、請求項１記載の発明において、操作体のフランジ部上面の突部が、操作軸の中心から等距離の位置に複数個配されたものであり、請求項１に記載の発明による作用に加えて、操作体の突部が操作軸に対して等距離の位置に設けられているため、傾倒操作時に操作体がスムーズに傾倒するようにできるという作用を有する。
【００２８】
請求項３に記載の発明は、請求項１記載の発明において、操作体のフランジ部の側方角部を、ケースの凹部に設けられた側壁角部に対応させたものであり、操作体の回転をケースで確実に規制できるようになるため、所定操作時の操作体の回転等を容易に低減できるという作用を有する。
【００３０】
請求項４に記載の発明は、請求項１記載の発明において、操作体のフランジ部上面の突部の配設位置が、ケースの内側固定接点の配設方向に合わせられているものであり、請求項１に記載の発明による作用に加えて、傾倒操作時に、操作つまみに加える操作力は、前記傾倒方向に最も近い位置の突部に大きい力で伝達され、操作体はその突部を中心として傾倒していくようになるため、突部の位置をケースの内側固定接点の配設方向に合わせることにより、傾倒操作時の安定したスイッチング特性が得られるものにできるという作用を有する。
【００３１】
請求項５に記載の発明は、請求項１記載の発明において、操作体のフランジ部の大きさが、ケースに配された内側固定接点どうしを繋ぐ仮想線で囲われる円形範囲よりも大きく形成されているものであり、傾倒操作時に、ケースに当接する傾倒支点部分を内側固定接点の外側にできるため、操作体の傾倒操作角度を小さくできて、こじり等を低減できると共に、使用機器の外装ケース等に設けられた操作つまみの挿入孔の径も小径にでき、その挿入孔からの塵埃の侵入も低減できるという作用を有する。
【００３２】
請求項６に記載の発明は、請求項１記載の発明において、操作体のフランジ部と導電部とが、導電性材料で一体形成されたものであり、部品点数および組立工数が少なくできて安価なものを容易に得ることができるという作用を有する。
【００３３】
以下、本発明の実施の形態について、図面を参照しながら説明する。
【００３４】
なお、従来の技術の項で説明した構成と同一構成の部分には同一符号を付して，詳細な説明を省略する。
【００３５】
（実施の形態１）
図１は本発明の第１の実施の形態による多方向操作スイッチの分解斜視図、図２は図１におけるＹ−Ｙ線による断面図、図３は同要部であるケースの上面図である。
【００３６】
同図において、１１は上方開口の凹部を備えた絶縁樹脂製のケースで、その内底面には、中央固定接点１２Ａおよび外側固定接点１２Ｂ並びにそれらの中間の前後左右の四箇所の位置に内側固定接点１２Ｃが配されている。
【００３７】
そして、このケース１１の外側固定接点１２Ｂ上に、弾性金属薄板からなる円形ドーム状の可動接点３の外周下端部が当接状態に載置され、可動接点３はケース１１の凹部内に収容されている。
【００３８】
この可動接点３は、中央頂点部に孔３Ａを有し、その孔３Ａの径は中央固定接点１２Ａよりも大きく形成されていることは従来の技術の場合と同じである。
【００３９】
そして、１３は、根元部が水平断面で略四角形の上方に突出する操作軸１３Ａとその下方のフランジ部１３Ｂとが一体形成された絶縁材料製の操作体であり、このフランジ部１３Ｂの下面には、導電部となる導電性の鋲５が固定されている。
【００４０】
なお、この鋲５の下方平坦部５Ａの外形は、四つの内側固定接点１２Ｃを繋ぐ円形の仮想線の大きさと同等、もしくはそれよりも少し大きい円形状に形成されており、この鋲５が固着された操作体１３は、鋲５の下方平坦部５Ａの端部が、それぞれの内側固定接点１２Ｃの略上方に位置するように、かつその下方平坦部５Ａの裏面が可動接点３の孔３Ａの周囲部分に当接状態になるようにして可動接点３上に配され、フランジ部１３Ｂがケース１１の凹部内に収容されている。
【００４１】
しかしながら、図１の分解斜視図に示すように、この操作体１３のフランジ部１３Ｂは、角部１３Ｃを有する四角形の外形形状に形成されており、この角部１３Ｃが、ケース１１の凹部に設けられた側壁角部１１Ａ内に挿入されて配されていると共に、前記の状態で内側固定接点１２Ｃの配された方向に対応するフランジ部１３Ｂ上面の四箇所の位置、つまり操作軸１３Ａを中心として、それから等距離の互いに直交する位置に四つの突部１４が設けられたものとなっている。
【００４２】
そして、１５は、ケース１１の開口部を覆っている金属製のカバーであり、操作体１３の中央上方に突出している操作軸１３Ａの根元部を、中央に設けられた略四角形に形成された軸受部１５Ａで挿通保持すると共に、操作軸１３Ａの周囲に形成された突部１４を、孔部１５Ｂから上方に突出させるようにして挿通させている。
【００４３】
なお、このカバー１５は、軸受部１５Ａの略四角形のそれぞれの辺部が、内側固定接点１２Ｃが設けられた方向に対応するようにケース１１に固定され、この軸受部１５Ａと操作軸１３Ａとの係合部分において、操作体１３の回転を防止できる構成に加えて、操作体１３は、フランジ部１３Ｂ上面に設けられた突部１４がカバー１５の孔部１５Ｂに挿通され、かつ操作体１３のフランジ部１３Ｂ外周の角部１３Ｃをケース１１の側壁角部１１Ａに対応させて配しているため、さらに回転し難いものとなっている。
【００４４】
そして、このカバー１５の裏面は、操作体１３のフランジ部１３Ｂ上面に当接しており、フランジ部１３Ｂ下面に鋲５が固定された操作体１３は、カバー１５裏面と可動接点３上面とにより挟持されて、図２に示す操作軸１３Ａに操作力が加わっていない通常状態において垂直中立位置を保っている。
【００４５】
そして、図２等に示す１６は、操作体１３の操作軸１３Ａの上端に、圧入等により結合された操作つまみである。
【００４６】
次に、上述したように構成された本発明による多方向操作スイッチの動作について説明する。
【００４７】
まず、操作体１３が垂直中立位置にあり、可動接点３を押さない図２の状態においては、いずれのスイッチ接点間もオフ状態になっている。
【００４８】
そして、図４の断面図に矢印で示すように、操作体１３の操作軸１３Ａの上端に装着された操作つまみ１６の左上面を指等で下方向に押し下げると、操作体１３はフランジ部１３Ｂの右側上端部１３Ｂ１の辺を支点として傾いていく。
【００４９】
このときは、操作体１３のフランジ部１３Ｂ上面の突部１４は、カバー１５の孔部１５Ｂに挿通状態で操作体１３は傾倒していくため、傾倒支点がずれ難くできて、操作体１３のこじり等を容易に低減できる。
【００５０】
そして、操作体１３の傾倒に伴って、操作体１３のフランジ部１３Ｂ下面に固定された導電性の鋲５の下方平坦部５Ａの左側端部５Ａ１が、左側に配された内側固定接点１２Ｃの上方位置に対応する可動接点３の上面左側部分を押し下げ、可動接点３を部分的に反転させて節度を生じる。
【００５１】
それと同時に、ケース１１底面左側の内側固定接点１２Ｃに可動接点３裏面が接触し、可動接点３を介して外側固定接点１２Ｂと内側固定接点１２Ｃとの間が導通状態となり、この二つの固定接点１２Ｂと１２Ｃに接続された所定の外部導出用の端子１７間が導通する。
【００５２】
この傾倒操作時に、可動接点３および鋲５が、中央固定接点１２Ａに接触しない。
【００５３】
そして、操作つまみ１６に加えていた押し力を除くと、円形ドーム状の可動接点３が元の形状に復元して可動接点３が左側の内側固定接点１２Ｃから離れると共に、その復元力によって操作体１３は元の垂直中立位置へ押し戻され、図２に示すいずれのスイッチ接点間もオフ状態に戻る。
【００５４】
また、操作体１３に装着された操作つまみ１６の上面を押す位置を右、前、後と変えると、前記と同様にして、その方向に操作体１３が傾倒し、傾倒した方向のスイッチ接点間が導通し、対応する端子１７間が導通状態になり、その押圧力を除くと、図２に示す通常状態に戻る。
【００５５】
本実施の形態による多方向操作スイッチは、操作体１３の操作軸１３Ａに加えて、操作体１３のフランジ部１３Ｂ上面に設けた突部１４をカバー１５の孔部１５Ｂに挿通させた構成であるために、前記傾倒操作時において、操作体１３の傾倒移動時のこじり等を低減でき、かつその傾倒支点もズレ難くできるため、操作体１３は常に所定の傾倒角度で傾倒して所望のスイッチ接点間を導通させることができると共に、その際に常に良好な節度感触が得られるものとなる。
【００５６】
一方、図５の断面図に矢印で示すように、指等で操作つまみ１６の中央上面を垂直下方に押し下げていくと、操作体１３は全体的に下方に移動していき、操作体１３のフランジ部１３Ｂ下面に固定された鋲５は、円形ドーム状の可動接点３の中央部を押し下げ、可動接点３を全体的に反転させて節度を生じる。
【００５７】
それと同時に、鋲５の下方平坦部５Ａの中央下部が、ケース１１底面の中央固定接点１２Ａに当接し、鋲５と電気的に接続されている可動接点３を介して外側固定接点１２Ｂと中央固定接点１２Ａとの間が導通状態となり、この二つの固定接点１２Ｂと１２Ａに接続された所定の外部導出用の端子１７間が導通する。
【００５８】
そして、前記押圧力を除くと、円形ドーム状の可動接点３は元の形状に復元し、操作体１３はその力が押し上げられて、元のいずれのスイッチ接点間もオフ状態である図２に示す通常状態に戻る。
【００５９】
なお、このプッシュ操作の際においても、操作体１３は、フランジ部１３Ｂの突部１４がカバー１５の孔部１５Ｂに挿通された状態のままで下方に移動していくため、操作体１３の傾倒等を容易に防止できて、良好な操作感触が得られるものとなる。
【００６０】
このように本実施の形態による多方向操作スイッチは、操作体１３のフランジ部１３Ｂの上面に設けた突部１４をカバー１５の孔部１５Ｂに挿通させることによって、所定操作時における操作体１３のこじり等を低減させることができるため、部品点数を増加させることなく、所定操作時の可動接点３の明確な節度感触、および安定したスイッチング特性を得ることができるものを安価に実現できる。
【００６１】
なお、前記には、操作体１３のフランジ部１３Ｂに設けた突部１４を、内側固定接点１２Ｃの配された方向に対応させて設けたものを説明したが、その配設位置や個数などは必要に応じて適宜設定すれば良い。
【００６２】
この際に、複数個の突部を配する場合には、操作軸を中心として等距離の位置に配すると、傾倒操作時に操作体がスムーズに傾倒できるものとなる。
【００６３】
また、図６の断面図に示すように、操作体１８のフランジ部１８Ａの大きさを、ケース１１に配された内側固定接点１２Ｃどうしを繋ぐ仮想線で囲われる円形範囲よりも大きく形成して、その外周位置に突部２０を形成し、カバー１９の孔部１９Ａに挿通させる構成とすると、傾倒操作時に、カバー１９に当接する傾倒支点部が内側固定接点１２Ｃに対して大きく外側位置にできるため、操作体１８の傾倒操作角度を小さくできて、さらにこじり等が少なくかつ傾倒支点もズレ難いものが得られる。
【００６４】
そして、前記構成のものを用いた使用機器においては、その多方向操作スイッチの傾倒操作角度が小さくて済むものであるため、外装ケース等に設けられる操作つまみ１６挿通用の孔も小さい径のものにでき、その挿通用の孔からの使用機器内への塵埃等の侵入を低減できるという効果も奏する。
【００６５】
さらに、操作体１３の導電部としては、金属製の鋲５以外の導電性部材を固定しても良いし、フランジ部の下面に導電メッキを施したものとしても良い。
【００６６】
また、図７に示すように、導電部、操作体および突部を導電性材料で一体形成した導電部付操作体２１としても良く、この構成とすると、部品点数および組立工数が少なくできるため、組立て易くて安価なものが容易に実現できる。
【００６７】
（実施の形態２）
図８は第２の実施の形態による多方向操作スイッチの断面図である。
【００６８】
同図に示すように、本実施の形態による多方向操作スイッチは、実施の形態１によるものに対して、操作つまみ３０の装着状態が異なるものであり、操作体１３の操作軸１３Ａの上端に固定された操作つまみ３０の外周下端部３０Ａは、フランジ部１３Ｂの突部１４の上端面に当接状態になっている。
【００６９】
その他の構成部分は、実施の形態１によるものと同じであるため、説明を省略する。
【００７０】
また、動作についても、殆ど実施の形態１によるものの場合と同じであるため、詳細な説明は省略するが、本実施の形態によるものは、図９の断面図に示すように、操作つまみ３０の左側部分を押して操作体１３を傾倒させる際には、操作つまみ３０の左側の外周下端部３０Ａで、操作軸１３Ａよりも外方に位置する左側の突部１４Ａ上端を直接的に押し下げていくようにできる、すなわち操作つまみ３０と操作体１３とを広い面積で一体的に結合した状態で操作体１３を傾倒させていくことができるため、より安定的に操作体１３の傾倒移動をさせることができる。
【００７１】
なお、操作体１３のフランジ部１３Ｂ上面の突部１４の配設位置を、内側固定接点１２Ｃの配設方向に合わせておくと、前記傾倒操作時に、操作つまみ３０に加わる操作力は、前記傾倒方向に最も近い位置の突部１４に大きい力が伝達されて、操作体１３はその突部１４を中心として傾倒していくようにできるため、傾倒操作時の安定したスイッチング特性を保証することもできる。
【００７２】
また、図１０に示す操作つまみ３０の中央部分を押して操作体１３を全体的に押し下げるプッシュ操作時においても、その操作力を、突部１４を介して広い面積で操作体１３に加えるようにできるため、こじり等が少なくできて安定した操作性を有するものにできる。
【００７３】
【発明の効果】
以上のように本発明は、操作体のフランジ部上面に設けられた突部を上方に突出させるようにカバーの孔部に挿通させ、その突部のカバーから突出した上端に下端部を当接させて装着された操作つまみからなるものとし、前記操作つまみを介して操作体が傾倒するように操作軸に力を加えると、前記操作つまみと一体的に結合した状態で操作体は、傾倒方向とは反対側の上端部が支点となり、フランジ部の突部がカバーの孔部に挿通状態のままで全体的に傾倒して可動接点を部分的に反転させ、これにより傾倒方向側に配された内側固定接点と外側固定接点との間のスイッチングがなされ、前記操作つまみを介して操作軸を押し下げると、前記操作つまみと一体的に結合した状態で操作体は、フランジ部の突部がカバーの孔部に挿通状態のままで全体的に下方に移動して可動接点を全体的に反転させ、これにより中央固定接点と外側固定接点との間のスイッチングがなされるものとしている。これにより、構成部品点数を増加させることなく、操作つまみに加わる操作力を操作軸の周囲に設けられた突部にも直接伝達でき、操作つまみと操作体とが広い面積で一体的に結合した状態で安定して移動されるものにできて、所定操作に伴う操作体の移動時のこじり等を容易に低減させることができ、所定操作における良好な操作感触および安定した操作性を備えた多方向操作スイッチを安価に実現できるという有利な効果が得られる。
【図面の簡単な説明】
【図１】本発明の第１の実施の形態による多方向操作スイッチの分解斜視図
【図２】同図１におけるＹ−Ｙ線による断面図
【図３】同要部であるケースの上面図
【図４】同傾倒操作状態を示す断面図
【図５】同プッシュ操作状態を示す断面図
【図６】同他の実施の形態を示す断面図
【図７】同他の実施の形態を示す断面図
【図８】本発明の第２の実施の形態による多方向操作スイッチの断面図
【図９】同傾倒操作状態を示す断面図
【図１０】同プッシュ操作状態を示す断面図
【図１１】従来の多方向操作スイッチの分解斜視図
【図１２】同図１１におけるＸ−Ｘ線による断面図
【図１３】同要部であるケースの上面図
【図１４】同傾倒操作状態を示す断面図
【図１５】同プッシュ操作状態を示す断面図
【符号の説明】
３  可動接点
３Ａ  孔
５  鋲
５Ａ  下方平坦部
５Ａ１  左側端部
１１  ケース
１１Ａ  側壁角部
１２Ａ  中央固定接点
１２Ｂ  外側固定接点
１２Ｃ  内側固定接点
１３、１８  操作体
１３Ａ  操作軸
１３Ｂ、１８Ａ  フランジ部
１３Ｂ１  右側上端部
１３Ｃ  角部
１４、２０  突部
１５、１９  カバー
１５Ａ  軸受部
１５Ｂ、１９Ａ  孔部
１６、３０  つまみ
１７  端子
２１  導電部付操作体
３０Ａ  外周下端部
【図１】
0003937670.tif 000002
【図２】
0003937670.tif 000003
【図３】
0003937670.tif 000004
【図４】
0003937670.tif 000005
【図５】
0003937670.tif 000006
【図６】
0003937670.tif 000007
【図７】
0003937670.tif 000008
【図８】
0003937670.tif 000009
【図９】
0003937670.tif 000010
【図１０】
0003937670.tif 000011
【図１１】
0003937670.tif 000012
【図１２】
0003937670.tif 000013
【図１３】
0003937670.tif 000014
【図１４】
0003937670.tif 000015
【図１５】
0003937670.tif 000016